(57)【要約】【課題】  ブラケット撮影により撮影された複数の画像の比較が容易な電子カメラを提供する。【解決手段】  １回のレリーズ操作に応じて撮影因子を変更しながら複数回の撮影を行う撮影手段と、前記撮影手段により撮影された画像データを記録媒体に記録させる記録手段とを有し、前記記録手段は、前記複数回の撮影によって生成された各画像データに、前記撮影因子の値の順番に関連づけたファイル名を付与して前記記録媒体に記録することを特徴とする電子カメラ。【選択図】  図６  
2005130213.tif 000002
【特許請求の範囲】
【請求項１】
撮像手段により撮像した被写体像を画像データファイルとして記録手段に記録する電子カメラにおいて、撮影因子を所定量ずらしながら複数回の撮影を自動的に行うブラケット撮影設定手段を有し、該ブラケット撮影設定手段によりブラケット撮影の設定が行われた場合には、ブラケットを行う撮影因子の標準値撮影を第１回目の撮影として行い、第２回目以降にブラケットを行う撮影因子の標準値以外の撮影を行い、前記複数回の撮影画像を画像データファイルとして生成する際に撮影順序に関わらずブラケットを行った撮影因子の値の順番にファイル名を与えて記録媒体に記録することを特徴とする電子カメラ。
【請求項２】
前記撮影因子は撮影露出、フラッシュ発光量、カラーバランス、撮影感度或いは焦点調節位置のいずれかであることを特徴とする請求項１に記載の電子カメラ。    
【請求項３】
ブラケット撮影された前記複数回の撮影による撮影画像情報を一時記憶する一時記憶手段を有し、前記複数回の撮影が終了した後にブラケットを行った撮影因子の値の順番に画像データファイルの生成を行うことを特徴とする請求項１及び２に記載の電子カメラ。
【請求項４】
１回のレリーズ操作に応じて撮影因子を変更しながら複数回の撮影を行う撮影手段と、前記撮影手段により撮影された画像データを記録媒体に記録させる記録手段とを有し、
前記記録手段は、前記複数回の撮影によって生成された各画像データに、前記撮影因子の値の順番に関連づけたファイル名を付与して前記記録媒体に記録することを特徴とする電子カメラ。
【発明の詳細な説明】
【技術分野】
【０００１】
本発明は撮像手段により撮像した被写体像を画像データファイルとして記録手段に記録する電子カメラに関するものである。
【背景技術】
【０００２】
従来、電子カメラ或いは銀塩フィルムを使うカメラにおいても撮影露出やフラッシュ発光量或いはカラーバランスなどの撮影因子を所定量だけずらしながら一連の複数回の撮影を自動的に行ういわゆるブラケット撮影機能というものが知られている。ブラケット撮影機能が存在する理由としては撮影露出などの撮影因子は標準的なもので撮影する方が最終的に得られる画像が最適となる確率が高いものの、被写体条件等によっては例えば撮影露出がよりアンダーまたはオーバーである方が結果的に良い場合があるために、撮影因子を幾つか変えながらの撮影が自動的にできる機能があると便利であるためである。
【０００３】
このようなブラケット撮影機能においてはシャッターチャンスに強くするためには最適な画像となる確率が高い標準値撮影を最初に行うのが良いが、撮影された複数画像の結果を見比べるには撮影露出などのブラケット因子が変化している順番に並んでいる方が好ましい。
【０００４】
そこで特開２０００−１２１８５或いは特開２００２−５１２５０ではブラケット撮影機能を有する電子カメラにおいてブラケット因子の標準値撮影を最初に行ったとしても、電子カメラに付属するモニタ画面でブラケット撮影された複数画像を並べて表示する場合にはブラケット因子の順番にすることが提案されている。
【特許文献１】特開２０００−１２１８５号公報
【特許文献２】特開２００２−５１２５０号公報
【発明の開示】
【発明が解決しようとする課題】
【０００５】
しかし、一般的に電子カメラに付属するモニタ画面はコストや大きさ或いは消費電力の制約などがあって、多くの場合に１．５〜２インチ程度のＴＦＴ液晶パネルであり、解像度や色再現の面には限界があり撮影画像の詳細な比較には向いていない。そこで多くのユーザーは電子カメラでブラケット撮影された画像の比較には撮影された画像ファイルをパーソナルコンピュータに取り込み画像ビューワーソフトなどを使ってＣＲＴ等のモニター上に表示させるが、上記特開２０００−１２１８５或いは特開２００２−５１２５０等のように電子カメラに付属するモニタ画面でブラケット撮影された複数画像を並べて表示する場合にはブラケット因子の順番にするという機能だけではこうした場合にはブラケット因子の順番には並ばないので不便である。
【課題を解決するための手段】
【０００６】
そこで本願の発明では、撮像手段により撮像した被写体像を画像データファイルとして記録手段に記録する電子カメラにおいて、撮影因子を所定量ずらしながら複数回の撮影を自動的に行うブラケット撮影設定手段を有し、該ブラケット撮影設定手段によりブラケット撮影の設定が行われた場合には、ブラケットを行う撮影因子の標準値撮影を第１回目の撮影として行い、第２回目以降にブラケットを行う撮影因子の標準値以外の撮影を行い、前記複数回の撮影画像を画像データファイルとして生成する際に撮影順序に関わらずブラケットを行った撮影因子の値の順番にファイル名を与えて記録媒体に記録することを特徴とする電子カメラを提案して、ブラケット撮影された画像の比較のために撮影された画像ファイルをパーソナルコンピュータに取り込み画像ビューワーソフトなどを使って表示させた場合にもブラケット因子の順に画像がならび、かつ撮影上も標準値撮影のものが最初に行われるというシャッターチャンスにも強いという電子カメラとすることを目的とする。
【０００７】
また、本願発明の電子カメラは、１回のレリーズ操作に応じて撮影因子を変更しながら複数回の撮影を行う撮影手段と、前記撮影手段により撮影された画像データを記録媒体に記録させる記録手段とを有し、前記記録手段は、前記複数回の撮影によって生成された各画像データに、前記撮影因子の値の順番に関連づけたファイル名を付与して前記記録媒体に記録することを特徴とする。
【発明の効果】
【０００８】
以上説明したように本願の発明の電子カメラでは、撮像手段により撮像した被写体像を画像データファイルとして記録手段に記録する電子カメラにおいて、撮影因子を所定量ずらしながら複数回の撮影を自動的に行うブラケット撮影設定手段を有し、該ブラケット撮影設定手段によりブラケット撮影の設定が行われた場合には、ブラケットを行う撮影因子の標準値撮影を第１回目の撮影として行い、第２回目以降にブラケットを行う撮影因子の標準値以外の撮影を行い、前記複数回の撮影画像を画像データファイルとして生成する際に撮影順序に関わらずブラケットを行った撮影因子の値の順番にファイル名を与えて記録媒体に記録することを特徴とし、ブラケット撮影された画像の比較のために撮影された画像ファイルをパーソナルコンピュータに取り込み画像ビューワーソフトなどを使って表示させた場合にもブラケット因子の順に画像がならび、かつ撮影上も標準値撮影のものが最初に行われるというシャッターチャンスにも強いという効果がある。
【発明を実施するための最良の形態】
【０００９】
以下に本発明の実施例について説明する。
【実施例１】
【００１０】
図１は本発明を実施したカメラにおける主として光学部材等の配置を断面図にて表わしたものである。本図においてはレンズ交換可能ないわゆる一眼レフタイプのカメラの構成を示しているが、１はカメラ本体、２は交換レンズ、３はフラッシュ装置である。カメラ本体１において１０はメカニカルシャッター、１１は光学的ロウパスフィルター、１２は例えばＣＭＯＳやＣＣＤといったエリアの蓄積型光電変換素子からなる撮像素子、１３は半透過性の主ミラー、１４は第１の反射ミラーで主ミラー１３と第１の反射ミラー１４はともに撮影時には上部に跳ね上がる。
【００１１】
１５は第１の反射ミラー１４による撮像素子面１２と共役な近軸的結像面、１６は第２の反射ミラー、１７は赤外カットフィルター、１８は２つの開口部を有する絞り、１９は２次結像レンズ、２０は焦点検出用センサーである。焦点検出用センサー２０は例えばＣＭＯＳやＣＣＤといったエリアの蓄積型光電変換素子からなり、図２に示すように絞り１８の２つの開口部に対応して多数分割された受光センサー部が２０Ａと２０Ｂとの２対のエリアの構成になっている。
【００１２】
また、受光センサー部２０Ａと２０Ｂに加えて、信号蓄積部や信号処理用の周辺回路などが同一チップ上に集積回路として作り込まれる。第１の反射ミラー１４から焦点検出用センサー２０までの構成は、特開平９−１８４９６５等に詳細に記載されているように、撮影画面内の任意の位置での像ずれ方式での焦点検出を可能とするものである。
【００１３】
２１は拡散性を有するピント板、２２はペンタプリズム、２３は接眼レンズ、２４は第３の反射ミラー、２５は集光レンズ、２６は被写体の輝度に関する情報を得るための測光用センサーである。測光用センサー２６は例えばシリコンフォトダイオード等の光電変換素子からなり、図３に例示するように格子状に複数分割された受光センサー部を有した構成になっており撮影画面の略全体を視野としている。
【００１４】
図示したように本例では受光視野内を７列×５行＝３５分割としている。３５分割された各受光部に対してはＰＤ１〜ＰＤ３５と呼ぶこととする。受光センサー部以外に信号増幅部や信号処理用の周辺回路などが同一チップ上に集積回路として作り込まれることは周知である。
【００１５】
ピント板２１、ペンタプリズム２２、接眼レンズ２３によってファインダー光学系が構成される。測光用センサー２６には主ミラー１３によって反射されてピント板２１によって拡散された光線のうち光軸外の一部が入射する。
【００１６】
図４は前記した焦点検出用センサー２０等による焦点検出手段による撮影画面内の焦点検出位置と３５分割された測光用センサー２６との対応位置関係を表した図である。本例では撮影画面内の焦点検出位置をＳ０からＳ２までの３点の例とし、焦点検出位置Ｓ０は測光用センサー２６の受光部ＰD１８に対応した位置にて焦点検出を行う。
【００１７】
さらに、図示のように焦点検出位置Ｓ１は測光用センサー２６の受光部ＰD１６に対応した位置にて焦点検出を行い、焦点検出位置Ｓ２は測光用センサー２６の受光部ＰD２０に対応した位置にて焦点検出を行うものとする。
【００１８】
図１の説明に戻る。２７は撮影レンズを取り付けるマウント部、２８は撮影レンズと情報通信を行うための接点部，２９はフラッシュ装置３を取り付けるための接続部であり、フラッシュ装置との通信等を行う信号接点を含む。交換レンズ２において３０ａ〜３０ｅは撮影レンズを構成する各光学レンズ，３１は絞り、３２はカメラ本体と情報通信を行うための接点部、３３はカメラに取り付けられるためのマウント部である。
【００１９】
フラッシュ装置３において３４はキセノン管、３５は反射笠、３６はフレネル板、３７はキセノン管３４の発光量をモニターするためのモニターセンサー、３８はカメラ本体１にフラッシュ装置３を取り付けるための取り付け部であり、カメラ本体１との通信等を行う信号接点を含む。
【００２０】
図５は本発明を実施したカメラ本体１とその交換レンズ２及びフラッシュ装置３の電気回路の構成例を表わすブロック図である。カメラ本体１において４１は例えば内部にＡＬＵ、ＲＯＭ、ＲＡＭやＡ／Ｄコンバータ、タイマー、シリアル通信ポート（ＳＰＩ）等を内蔵したワンチップマイクロコンピュータによる制御手段でありカメラ機構等の全体制御を行う。制御手段４１の具体的な制御シーケンスについては後述する。焦点検出用センサー２０及び測光用センサー２６は図１等に記載したものと同一である。焦点検出用センサー２０及び測光用センサー２６の出力信号は、制御手段４１のＡ／Ｄコンバータ入力端子に接続される。
【００２１】
４２はシャッター駆動手段であり制御手段４１の出力端子に接続されて図１記載のメカニカルシャッター１0を駆動する。４３は信号処理回路であり制御手段４１の指示に従って撮像素子１２を制御して撮像素子１２が出力する撮像信号をA／D変換しながら入力して信号処理を行い、画像信号を得る。また、得られた画像信号に対して各種の補正・補間処理、色変換処理、ゲイン変換処理、圧縮・伸張処理などの必要な画像処理を行う機能を有している。
【００２２】
４４はSDRAM等による一時記憶手段であり撮像された画像信号を一時記憶する場合などに使われる。４５はフラッシュＲＯＭ等の不揮発性メモリ又は光ディスク等による記録媒体であり撮像され信号処理された画像ファイルを最終的に記憶する場合に使われる。記憶手段４５はカメラ本体から着脱可能である。
【００２３】
４６は第１のモータードライバであり、制御手段４１の出力端子により制御されて第１のモーター４７を駆動して主ミラー１３及び第１の反射ミラー１４のアップ・ダウンを行う。４８は液晶パネル等で構成されて撮影枚数や日付情報、露出情報等を表示する表示器であり、やはり制御手段４１の出力信号に応じて各セグメントが点灯制御される。４９はブラケット撮影モード設定手段、５０はレリーズスイッチである。２８は図１に記載した接点部であり、制御手段４１のシリアル通信ポートの入出力信号が接続される。２９は図１に記載したフラッシュ装置接続部であり、フラッシュ装置３と通信が可能なようにやはり制御手段４１のシリアル通信ポートの入出力信号が接続される。
【００２４】
交換レンズ２において５１は例えば内部にＡＬＵ、ＲＯＭ、ＲＡＭやタイマー、シリアル通信ポート（ＳＰＩ）等を内蔵したワンチップマイクロコンピュータによるレンズ制御手段である。５２は第２のモータードライバでありレンズ制御手段５１の出力端子に接続されて制御され、焦点調節を行うための第２のモーター５３を駆動する。５４は第３のモータードライバでありレンズ制御手段５１の出力端子に接続されて制御され、図１にて記載した絞り３１の制御を行うための第３のモーター５５を駆動する。５６は焦点調節レンズの繰り出し量すなわち被写体距離に関する情報を得るための距離エンコーダーであり、レンズ制御手段５１の入力端子に接続される。
【００２５】
５７は交換レンズ３０がズームレンズである場合に撮影時の焦点距離情報を得るためのズームエンコーダーであり、レンズ制御手段５１の入力端子に接続される。３２は図１に記載した接点部であり、レンズ制御手段５１のシリアル通信ポートの入出力信号が接続される。
【００２６】
交換レンズ２がカメラ本体１に装着されるとそれぞれの接点部２８と３２とが接続されてレンズ制御手段５１はカメラ本体の制御手段４１とのデータ通信が可能となる。カメラ本体の制御手段４１が焦点検出や露出演算を行うために必要なレンズ固有の光学的な情報や、距離エンコーダー５６或いはズームエンコーダー５７に基づいた被写体距離に関する情報または焦点距離情報はレンズ制御手段５１からカメラ本体の制御手段４１へとデータ通信によって出力される。また、カメラ本体の制御手段４１が焦点検出や露出演算を行った結果求められた焦点調節情報や絞り情報はカメラ本体の制御手段４１からレンズ制御手段５１へとデータ通信によって出力されて、レンズ制御手段５１は焦点調節情報に従って第２のモータードライバ５２を制御し、絞り情報に従って第３のモータードライバ５４を制御する。
【００２７】
フラッシュ装置３において６１は例えば内部にＡＬＵ、ＲＯＭ、ＲＡＭやＡ／Ｄコンバータ、タイマー、シリアル通信ポート（ＳＰＩ）等を内蔵したワンチップマイクロコンピュータによるフラッシュ制御手段であり、６２はキセノン管３４の発光に必要な３００V程度の高圧電圧を作る昇圧部、キセノン管３４及びモニターセンサー３７は図１に記載したものと同一である。
【００２８】
フラッシュ装置３がカメラ本体１に装着されるとそれぞれの接続部３８と２９が接続されてフラッシュ制御手段６１はカメラ本体の制御手段４１とのデータ通信が可能となる。フラッシュ制御手段６１はカメラ本体の制御手段４１からの通信内容に従って昇圧部６２を制御してキセノン管３４の発光開始や発光停止を行うとともに、モニターセンサー３７の検出量をカメラ本体の制御手段４１に対して出力する。
【００２９】
続いて図のフローチャートに従ってカメラ本体の制御手段４１の本発明に関わる具体的な動作シーケンスについて説明する。不図示の電源スイッチがオンされて制御手段４１が動作可能となると、図６の（１０１）のステップより実行する。尚、図６のフローチャートで説明する動作シーケンスは撮影露出を所定量だけずらしながら３回撮影を行う露出のブラケットモードがブラケット設定手段４９により設定された場合の動作について表している。
【００３０】
（１０１）焦点検出用センサー２０に対して制御信号を出力して、信号蓄積を行う。蓄積が終了すると焦点検出用センサー２０に蓄積された信号を読み出しながらＡ／Ｄ変換を行う。さらに読み込まれた各デジタルデータに対してシェーディング等の必要な各種のデータ補正を行う。
【００３１】
（１０２）焦点検出を行うために必要なレンズ情報等をレンズ制御手段５１より入力し、これと焦点検出用センサー２０から得られているデジタルデータより撮影画面各部の焦点状態を演算する。さらに画面内の焦点を合わせるべき領域をS０〜S２の中から決定する。あらかじめ操作部材などにより指定されている領域があるならばそれに従っても良い。
【００３２】
決定された領域における焦点状態に従って合焦となるためのレンズ移動量を算出し、算出されたレンズ移動量をレンズ制御手段５１に出力する。これに従ってレンズ制御手段５１は焦点調節用レンズを駆動するように第２のモータードライバ５２に信号出力して、第２のモーター５３を駆動する。これにより撮影レンズは被写体に対して合焦状態となる。
【００３３】
（１０３）測光用センサー２６より３５分割された各受光部ＰＤ１〜ＰＤ３５の信号を読み出しながらＡ／Ｄ変換を行い画面各部の輝度情報を入力し、さらに必要なレンズ情報等をレンズ制御手段５１より入力して、入力された画面各部の輝度情報の補正を行い、各受光部毎の被写体輝度情報を得る。
【００３４】
（１０４）得られた各受光部毎の被写体輝度情報より焦点検出部分に対応した分割部の輝度情報に重み付けを置いて画面全体の輝度ＥＶ１を算出する。この画面全体の輝度ＥＶ１は標準値としての撮影用の輝度である。算出された画面全体の輝度情報ＥＶ１に基づいて撮影に最適な撮像素子１２の蓄積時間（すなわちシャッター速度）と絞り値を所定のプログラム線図より決定し表示器４８に表示する。シャッター速度又は絞り値の一方が予めプリセットされている場合は、そのプリセット値と組み合わせて最適な露出となる他方の因子を決定する。
【００３５】
（１０５）レリーズスイッチ５０がオンされるのを待つ。オンされていなければ前記（１０１）に戻るが、もしも、オンされると（１０６）へ進む。（１０６）第１のモータードライバ４６に制御信号を出力して、第１のモーター４７を駆動して主ミラー１３及び第１の反射ミラー１４を跳ね上げる。続いて前記（１０４）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００３６】
（１０７）シャッター駆動手段４２に対して信号出力を行い、シャッター１０を開放状態とする。これにより撮像素子１２には撮影レンズからの光線が入射して撮像が可能となる。前記（１０４）のステップにて演算された蓄積時間にしたがって撮像素子１２の蓄積時間を設定して撮像を撮像素子１２によって行うように信号処理回路４３に対して指示を出す。これで標準値露出による１回目の撮像が行われる。撮像が終了するとシャッター駆動手段４２に対して信号出力を行い、シャッター１０を遮光状態とする。これにより撮像素子１２に対する撮影レンズからの光線が遮断される。
【００３７】
（１０８）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００３８】
（１０９）１回目撮像分の撮像画像情報を撮像素子１２からＡ／Ｄ変換しながら読み出して、一時記憶手段４４に記憶するように信号処理回路４３に対して指示を出す。
（１１０）標準値としての撮影用の輝度ＥＶ１に対して所定量ΔＥだけ加算して露出アンダー撮影用の輝度値ＥＶ２を算出する。ΔＥはブラケット設定手段４９により設定されているものとする。算出された輝度情報ＥＶ２に基づいて撮影に最適な撮像素子１２の蓄積時間（すなわちシャッター速度）と絞り値を所定のプログラム線図より決定し表示器４８に表示する。シャッター速度又は絞り値の一方が予めプリセットされている場合は、そのプリセット値と組み合わせて最適な露出となる他方の因子を決定する。
【００３９】
（１１１）第１のモータードライバ４６に制御信号を出力して、第１のモーター４７を駆動して主ミラー１３及び第１の反射ミラー１４を跳ね上げる。続いて前記（１１０）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００４０】
（１１２）シャッター駆動手段４２に対して信号出力を行い、シャッター１０を開放状態とする。これにより撮像素子１２には撮影レンズからの光線が入射して撮像が可能となる。前記（１１０）のステップにて演算された蓄積時間にしたがって撮像素子１２の蓄積時間を設定して撮像を撮像素子１２によって行うように信号処理回路４３に対して指示を出す。これでアンダー値露出による２回目の撮像が行われる。撮像が終了するとシャッター駆動手段４２に対して信号出力を行い、シャッター１０を遮光状態とする。これにより撮像素子１２に対する撮影レンズからの光線が遮断される。
【００４１】
（１１３）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００４２】
（１１４）２回目撮像分の撮像画像情報を撮像素子１２からＡ／Ｄ変換しながら読み出して、一時記憶手段４４に記憶するように信号処理回路４３に対して指示を出す。
【００４３】
（１１５）標準値としての撮影用の輝度ＥＶ１に対して所定量ΔＥだけ減算して露出オーバー撮影用の輝度値ＥＶ３を算出する。ΔＥはブラケット設定手段４９により設定されているものとする。算出された輝度情報ＥＶ３に基づいて撮影に最適な撮像素子１２の蓄積時間（すなわちシャッター速度）と絞り値を所定のプログラム線図より決定し表示器４８に表示する。シャッター速度又は絞り値の一方が予めプリセットされている場合は、そのプリセット値と組み合わせて最適な露出となる他方の因子を決定する。
【００４４】
（１１６）第１のモータードライバ４６に制御信号を出力して、第１のモーター４７を駆動して主ミラー１３及び第１の反射ミラー１４を跳ね上げる。続いて前記（１１５）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００４５】
（１１７）シャッター駆動手段４２に対して信号出力を行い、シャッター１０を開放状態とする。これにより撮像素子１２には撮影レンズからの光線が入射して撮像が可能となる。前記（１１５）のステップにて演算された蓄積時間にしたがって撮像素子１２の蓄積時間を設定して撮像を撮像素子１２によって行うように信号処理回路４３に対して指示を出す。これでオーバー値露出による３回目の撮像が行われる。撮像が終了するとシャッター駆動手段４２に対して信号出力を行い、シャッター１０を遮光状態とする。これにより撮像素子１２に対する撮影レンズからの光線が遮断される。
【００４６】
（１１８）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００４７】
（１１９）３回目撮像分の撮像画像情報を撮像素子１２からＡ／Ｄ変換しながら読み出して、一時記憶手段４４に記憶するように信号処理回路４３に対して指示を出す。（１２０）信号処理回路４３に対して指示を出して２回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００４８】
（１２１）信号処理回路４３に対して指示を出して１回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００４９】
（１２２）信号処理回路４３に対して指示を出して３回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００５０】
これで一連の撮影シーケンスが終了する。以上説明した一連のシーケンス順序について図７に従って説明する。撮影露出を所定量だけずらして３回撮影する場合に、図７（ａ）に示したようにまず第１回目として標準露出値での撮影を行い（ステップ１０７）、続いて第２回目として標準値に対して画像の明るさとしてマイナス方向となるアンダー露出値での撮影を行い（ステップ１１２）、最後に第３回目として標準値に対して画像の明るさとしてプラス方向となるオーバー露出値での撮影を行う（ステップ１１７）。
【００５１】
これら３回の撮像画像情報を一時記憶手段４４に記憶した後、図７（ｂ）に示したようにまずアンダー露出撮影が行われた２回目撮像分の撮像画像情報を信号処理してファイルとして記録し（ステップ１２０）、続いて標準露出撮影が行われた１回目撮像分の撮像画像情報を信号処理してファイルとして記録し（ステップ１２１）、最後にオーバー露出撮影が行われた３回目撮像分の撮像画像情報を信号処理してファイルとして記録する（ステップ１２２）。
【００５２】
多くの電子カメラにおいて画像ファイル生成時のファイル名称の附し方として記録する順番ごとに通し番号的な数字を与えるのが一般的となっていることから、図７（ｂ）に示した例のように最初にファイル化されたアンダー露出撮影が行われた２回目撮像分の撮像画像に対してＩＭＧ０００１．ｊｐｇといったファイル名が付され、２番目にファイル化された標準露出撮影が行われた１回目撮像分の撮像画像に対してＩＭＧ０００２．ｊｐｇといったファイル名が付され、最後にファイル化されたオーバー露出撮影が行われた３回目撮像分の撮像画像に対してＩＭＧ０００３．ｊｐｇといったファイル名が付されることになる。
【００５３】
電子カメラで撮影された画像をパーソナルコンピュータ上で一覧表示させることのできる画像ファイルビューワー用のアプリケーションソフトの多くはファイル名に従って画像の配列を決めて表示するようになっている。よって上記したような画像ファイル生成を行っておけばこうした画像ファイルビューワーソフトにて露出のブラケット撮影を行った画像ファイルを一覧表示させた場合に、やはり図７（ｃ）に示した順番で最初にアンダー露出の画像、次に標準露出の画像、最後にオーバー露出の画像という並び方をする。
【００５４】
(実施例２)
露出ブラケット撮影の例で第１の実施例を説明したが、フラッシュ発光量のブラケット撮影の例として第２の実施例を説明する。図１から図５によって説明したカメラ各部の構成は第１の実施例の場合と同じである。図８のフローチャートに従ってカメラ本体の制御手段４１の動作シーケンスについて説明する。不図示の電源スイッチがオンされて制御手段４１が動作可能となると、図８の（２０１）のステップより実行する。尚、図８のフローチャートで説明する動作シーケンスはフラッシュの発光量を所定量だけずらしながら３回撮影を行うフラッシュ発光のブラケットモードがブラケット設定手段４９により設定された場合の動作について表している。
【００５５】
（２０１）焦点検出用センサー２０に対して制御信号を出力して、信号蓄積を行う。蓄積が終了すると焦点検出用センサー２０に蓄積された信号を読み出しながらＡ／Ｄ変換を行う。さらに読み込まれた各デジタルデータに対してシェーディング等の必要な各種のデータ補正を行う。
【００５６】
（２０２）焦点検出を行うために必要なレンズ情報等をレンズ制御手段５１より入力し、これと焦点検出用センサー２０から得られているデジタルデータより撮影画面各部の焦点状態を演算する。さらに画面内の焦点を合わせるべき領域をS０〜S２の中から決定する。あらかじめ操作部材などにより指定されている領域があるならばそれに従っても良い。
【００５７】
決定された領域における焦点状態に従って合焦となるためのレンズ移動量を算出し、算出されたレンズ移動量をレンズ制御手段５１に出力する。これに従ってレンズ制御手段５１は焦点調節用レンズを駆動するように第２のモータードライバ５２に信号出力して、第２のモーター５３を駆動する。これにより撮影レンズは被写体に対して合焦状態となる。
【００５８】
（２０３）測光用センサー２６より３５分割された各受光部ＰＤ１〜ＰＤ３５の信号を読み出しながらＡ／Ｄ変換を行い画面各部の輝度情報を入力し、さらに必要なレンズ情報等をレンズ制御手段５１より入力して、入力された画面各部の輝度情報の補正を行い、各受光部毎の被写体輝度情報を得る。
【００５９】
（２０４）得られた各受光部毎の被写体輝度情報より焦点検出部分に対応した分割部の輝度情報に重み付けを置いて画面全体の輝度EvTを算出する。このようにして算出された画面全体の輝度情報に基づいて撮影に最適な撮像素子１２の蓄積時間（すなわちシャッター速度）と絞り値を所定のプログラム線図より決定し表示器４７に表示する。シャッター速度又は絞り値の一方が予めプリセットされている場合は、そのプリセット値と組み合わせて最適な露出となる他方の因子を決定する。
【００６０】
（２０５）レリーズスイッチ５０がオンされるのを待つ。オンされていなければ前記（２０１）に戻るが、もしも、オンされると（２０６）へ進む。（２０６）フラッシュ制御手段６１に通信してフラッシュの予備発光を指示する。これによりフラッシュ制御手段６１はモニターセンサー３７の出力信号に基づきキセノン管３４が予め定められた予備発光量だけ発光するようにキセノン管３４を発光させる。この予備発光が行われている間の被写体の輝度情報を得るために測光用センサー２６より３５分割された各受光部ＰＤ１〜ＰＤ３５の信号を読み出しながらＡ／Ｄ変換を行い画面各部の予備発光時輝度情報を入力する。
【００６１】
続いて得られた各受光部毎の予備発光時の被写体輝度情報のうち主として焦点検出部分に対応した分割部の輝度情報に重点を置いた主被写体部の予備発光時輝度Ｐを算出する。
（２０７）上記（２０６）のステップで得られた主被写体部の予備発光時輝度情報Ｐは主被写体部における背景光とフラッシュの予備発光とが加算された状態での被写体輝度情報であるので、これをフラッシュの予備発光のみによる被写体輝度情報にする下記の演算を行う。
【００６２】
F＝P−B
ここでＢは前記（２０３）のステップで得られている各受光部毎の被写体輝度情報のうち上記（２０６）のステップで主被写体部の予備発光時輝度Ｐを算出した分割部と同部分から算出した主被写体部の背景光輝度情報である。
【００６３】
（２０８）演算された主被写体部の予備発光輝度F及び主被写体部の背景光輝度Bさらに（２０４）のステップで得られた画面全体輝度情報EvTよりフラッシュの予備発光に対する本発光のゲインG１を下記の式より演算する。
【００６４】
G１＝log2 ｛（EvT−B）／F｝
分子のEvT−Bは撮像に使うシャッター速度と絞り値の組み合わせによるEv値より主被写体に対する背景光による輝度情報を減算したものであるから、日中シンクロのように背景光が明るい状況であえてフラッシュを使う場合等を除いてはこの減算結果に見合う量だけフラッシュ光を主被写体に当てれば適正露出となる。分母のFは主被写体領域におけるフラッシュ予備発光のみによる輝度情報であるから、この式で求められるG１は予備発光の光量に対して本発光時に何倍の発光光量とすれば主被写体が背景光とフラッシュ光の合計光量で適正露出となるかを表している。尚、Ｇ１はフラッシュ発光量のブラケット撮影時における標準発光量のための発光ゲインである。
【００６５】
この演算されたG１に基づいてフラッシュの本発光量をフラッシュ制御手段６１に通信する。
【００６６】
（２０９）第１のモータードライバ４６に制御信号を出力して、第１のモーター４７を駆動して主ミラー１３及び第１の反射ミラー１４を跳ね上げる。続いて前記（２０４）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００６７】
（２１０）シャッター駆動手段４２に対して信号出力を行い、シャッター１０を開放状態とする。これにより撮像素子１２には撮影レンズからの光線が入射して撮像が可能となる。前記（２０４）のステップにて演算された蓄積時間にしたがって撮像素子１２の蓄積時間を設定して撮像を撮像素子１２によって行うように信号処理回路４３に対して指示を出す。またこの撮像タイミングに同期してフラッシュ制御手段６１に対してフラッシュの発光指示を与える。
【００６８】
フラッシュ制御手段６１は発光指示に従って、（２０８）のステップにて演算されたG１に対応する発光量となるようにモニターセンサー３７の出力信号に基づきキセノン管３４を発光させる。これによって標準発光量のフラッシュ発光を伴った撮像が行われる。撮像が終了するとシャッター駆動手段４２に対して信号出力を行い、シャッター１０を遮光状態とする。これにより撮像素子１２に対する撮影レンズからの光線が遮断される。
【００６９】
（２１１）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００７０】
（２１２）１回目撮像分の撮像画像情報を撮像素子１２からＡ／Ｄ変換しながら読み出して、一時記憶手段４４に記憶するように信号処理回路４３に対して指示を出す。（２１３）フラッシュの標準発光量用ゲインＧ１に対して所定量ΔＧだけ減算して発光量アンダー撮影用のゲインＧ２を算出する。ΔＧはブラケット設定手段４９により設定されているものとする。この演算されたG２に基づいてフラッシュの本発光量をフラッシュ制御手段６１に通信する。
【００７１】
（２１４）第１のモータードライバ４６に制御信号を出力して、第１のモーター４７を駆動して主ミラー１３及び第１の反射ミラー１４を跳ね上げる。続いて前記（２０４）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００７２】
（２１５）シャッター駆動手段４２に対して信号出力を行い、シャッター１０を開放状態とする。これにより撮像素子１２には撮影レンズからの光線が入射して撮像が可能となる。前記（２０４）のステップにて演算された蓄積時間にしたがって撮像素子１２の蓄積時間を設定して撮像を撮像素子１２によって行うように信号処理回路４３に対して指示を出す。またこの撮像タイミングに同期してフラッシュ制御手段６１に対してフラッシュの発光指示を与える。
【００７３】
フラッシュ制御手段６１は発光指示に従って、（２１３）のステップにて演算されたG２に対応する発光量となるようにモニターセンサー３７の出力信号に基づきキセノン管３４を発光させる。これによってアンダー発光量のフラッシュ発光を伴った撮像が行われる。撮像が終了するとシャッター駆動手段４２に対して信号出力を行い、シャッター１０を遮光状態とする。これにより撮像素子１２に対する撮影レンズからの光線が遮断される。
【００７４】
（２１６）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００７５】
（２１７）２回目撮像分の撮像画像情報を撮像素子１２からＡ／Ｄ変換しながら読み出して、一時記憶手段４４に記憶するように信号処理回路４３に対して指示を出す。（２１８）フラッシュの標準発光量用ゲインＧ１に対して所定量ΔＧだけ加算して発光量オーバー撮影用のゲインＧ３を算出する。ΔＧはブラケット設定手段４９により設定されているものとする。この演算されたG３に基づいてフラッシュの本発光量をフラッシュ制御手段６１に通信する。
【００７６】
（２１９）第１のモータードライバ４６に制御信号を出力して、第１のモーター４７を駆動して主ミラー１３及び第１の反射ミラー１４を跳ね上げる。続いて前記（２０４）のステップにて演算された絞り値情報をレンズ制御手段５１に対して出力する。この情報に従ってレンズ制御手段５１は絞り３１を駆動するように第３のモータードライバ５４に信号出力して、第３のモーター５５を駆動する。これにより撮影レンズは絞り込み状態となる。
【００７７】
（２２０）シャッター駆動手段４２に対して信号出力を行い、シャッター１０を開放状態とする。これにより撮像素子１２には撮影レンズからの光線が入射して撮像が可能となる。前記（２０４）のステップにて演算された蓄積時間にしたがって撮像素子１２の蓄積時間を設定して撮像を撮像素子１２によって行うように信号処理回路４３に対して指示を出す。またこの撮像タイミングに同期してフラッシュ制御手段６１に対してフラッシュの発光指示を与える。フラッシュ制御手段６１は発光指示に従って、（２１８）のステップにて演算されたG３に対応する発光量となるようにモニターセンサー３７の出力信号に基づきキセノン管３４を発光させる。これによってオーバー発光量のフラッシュ発光を伴った撮像が行われる。撮像が終了するとシャッター駆動手段４２に対して信号出力を行い、シャッター１０を遮光状態とする。これにより撮像素子１２に対する撮影レンズからの光線が遮断される。
【００７８】
（２２１）レンズ制御手段５１に対して絞り３１を開放するように情報出力する。この情報に従ってレンズ制御手段５１は絞り３１を駆動するように第３のモータードライバ５４に信号出力して、第３のモーター５５を駆動する。これにより撮影レンズは絞り開放状態となる。さらに、第１のモータードライバ４６に制御信号を出力して、第１のモーター４７を駆動して主ミラー１３及び第１の反射ミラー１４をダウンさせる。
【００７９】
（２２２）３回目撮像分の撮像画像情報を撮像素子１２からＡ／Ｄ変換しながら読み出して、一時記憶手段４４に記憶するように信号処理回路４３に対して指示を出す。（２２３）信号処理回路４３に対して指示を出して２回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００８０】
（２２４）信号処理回路４３に対して指示を出して１回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００８１】
（２２５）信号処理回路４３に対して指示を出して３回目撮像分の撮像画像情報を一時記憶手段４４から読み出して各種の補正並びに補間処理やホワイトバランス調整等の画像調整を行う。さらに調整が行われた撮像画像情報を記録ファイルフォーマットに圧縮変換してファイル名称を付して記録媒体４５に記録するように信号処理回路４３に対して指示を出す。
【００８２】
これで一連の撮影シーケンスが終了する。以上説明した一連のシーケンス順序についてやはり図７に従って説明する。フラッシュ発光量を所定量だけずらして３回撮影する場合に、図７（ａ）に示したようにまず第１回目として標準発光量での撮影を行い（ステップ２１０）、続いて第２回目として標準発光量に対して画像の明るさとしてマイナス方向となるアンダー発光量での撮影を行い（ステップ２１５）、最後に第３回目として標準値に対して画像の明るさとしてプラス方向となるオーバー発光量での撮影を行う（ステップ２２０）。
【００８３】
これら３回の撮像画像情報を一時記憶手段４４に記憶した後、図７（ｂ）に示したようにまずアンダー発光量撮影が行われた２回目撮像分の撮像画像情報を信号処理してファイルとして記録し（ステップ２２３）、続いて標準発光量撮影が行われた１回目撮像分の撮像画像情報を信号処理してファイルとして記録し（ステップ２２４）、最後にオーバー発光量撮影が行われた３回目撮像分の撮像画像情報を信号処理してファイルとして記録する（ステップ２２５）。
【００８４】
記録の際に図７（ｂ）に示した例のように最初にファイル化されたアンダー露出撮影が行われた２回目撮像分の撮像画像に対してＩＭＧ０００１．ｊｐｇといったファイル名が付され、２番目にファイル化された標準露出撮影が行われた１回目撮像分の撮像画像に対してＩＭＧ０００２．ｊｐｇといったファイル名が付され、最後にファイル化されたオーバー露出撮影が行われた３回目撮像分の撮像画像に対してＩＭＧ０００３．ｊｐｇといったファイル名が付されることにれば、やはりパーソナルコンピュータ上での画像ファイルビューワーソフトにて露出のブラケット撮影を行った画像ファイルを一覧表示させた場合に、やはり図７（ｃ）に示した順番で最初にアンダー発光量の画像、次に標準発光量の画像、最後にオーバー発光量の画像という並び方をする。
【００８５】
尚、本発明は露出のブラケット撮影時、フラッシュ光量のブラケット撮影時のみならず画像のカラーバランスのブラケット撮影や撮影感度のブラケット撮影、さらには焦点調節位置のブラケット撮影などにも適用できる。また、ブラケット撮影枚数も３枚に限るものではない。また、ファイル生成順序を撮影順序とは異なりプラス値撮影分を第１に行い、続いて標準値撮影分を行い、最後にマイナス値撮影を行うようにしても同様な効果が得られる。
【図面の簡単な説明】
【００８６】
【図１】本発明を実施したカメラと交換レンズ及びフラッシュ装置の断面図
【図２】焦点検出用センサーの構成例を表わす図
【図３】測光用センサーの構成例を表わす図
【図４】焦点検出位置の例を示す図
【図５】カメラと交換レンズ及びフラッシュ装置の電気回路の構成例を表すブロック図
【図６】カメラの制御手段の動作フローチャート
【図７】カメラの撮影順序と画像ファイル生成順序の関係を説明する図
【図８】第２の実施例におけるカメラの制御手段の動作フローチャート
【符号の説明】
【００８７】
１はカメラ本体
２は交換レンズ
３はフラッシュ装置
１０はメカニカルシャッター
１２は撮像素子
１３は主ミラー
２０は焦点検出用センサー
２１はピント板
２６は測光用センサー
３４はキセノン管
３５は反射笠
３７はモニターセンサー
４１はカメラ制御手段
４３は信号処理回路
４４は一時記憶手段
４５は記録媒体
６１はフラッシュ装置の制御手段
【図１】
2005130213.tif 000003
【図２】
2005130213.tif 000004
【図３】
2005130213.tif 000005
【図４】
2005130213.tif 000006
【図５】
2005130213.tif 000007
【図６】
2005130213.tif 000008
【図７】
2005130213.tif 000009
【図８】
2005130213.tif 000010